(57)【要約】【課題】  折り畳んだ状態でも表示部を視認すること及びキー操作部の誤操作の防止ができ、かつ携帯電話の小型化及び電池寿命の延命の可能な携帯電話機を提供する。【解決手段】  表示部１０８が配設された表示部側筐体１０２と情報を入力する操作部１１８が配設された操作部側筐体１０４がヒンジ部１０６を中心に折り畳み開閉が可能な構成である携帯電話機１００において、表示部側筐体に備わる回路群を一括して制御する制御部へ接続される表示部側回路接続部１１６と、操作部側筐体に備わる回路群の接続末端部を一括する操作部側回路接続部１２２とを備え、操作部が配設された面が外側へ配置されるようにする方向に折り畳もうとする際に、表示部側回路接続部と操作部側回路接続部との接続が遮断されることを特徴とする。【選択図】      図１
2005217817.tif 000002
【特許請求の範囲】
【請求項１】
表示部が配設された表示部側筐体と情報を入力する操作部が配設された操作部側筐体がヒンジ部を中心に折り畳み開閉が可能な構成である携帯電話機において、
前記表示部側筐体に備わる回路群を一括して制御する制御部へ接続される表示部側回路接続部と、
前記操作部側筐体に備わる回路群の接続末端部を一括する操作部側回路接続部とを備え、
前記操作部が配設された面が外側へ配置されるようにする方向に折り畳もうとする際に、前記表示部側回路接続部と前記操作部側回路接続部との接続が遮断されることを特徴とする、携帯電話機。
【請求項２】
前記表示部側回路接続部と前記操作部側回路接続部は、電気的及び機構的に接続させる接続部であることを特徴とする、請求項１に記載の携帯電話機。
【請求項３】
前記表示部側回路接続部と前記操作部側回路接続部は、前記表示部側筐体と前記操作部側筐体とを電気的に接続させる接続部と、前記表示部側筐体と前記操作部側筐体との連結部分を機構的に接続させる接続部とを別途設けたことを特徴とする、請求項１に記載の携帯電話機。
【請求項４】
前記表示部側筐体には、前記制御部により制御される第２の操作部がさらに配設され、
前記操作部側筐体には、前記第２の操作部を使用不能にする無効回路がさらに配設され、
前記表示部側回路接続部と前記操作部側回路接続部とを接続させると、前記制御部と前記操作部側筐体に配設される前記操作部が接続されると同時に、前記第２の操作部と前記無効回路が接続されることを特徴とする、請求項１〜３のいずれか１項に記載の携帯電話機。
【請求項５】
前記表示部側筐体には、前記制御部で制御されない第１の付加機能回路がさらに配設され、
前記操作部側筐体には、前記表示部側回路接続部と前記操作部側回路接続部とを接続させると前記第１の付加機能回路を使用可能にする有効回路が設けられていることを特徴とする、請求項１〜４のいずれか１項に記載の携帯電話機。
【請求項６】
前記表示部側筐体には、前記制御部で制御されない第１の付加機能回路がさらに配設され、
前記操作部側筐体には、前記制御部で制御されない第２の付加機能回路がさらに配設され、前記表示部側回路接続部と前記操作部側回路接続部とを接続させると前記第１及び第２の付加機能回路を使用可能にする有効回路が設けられていることを特徴とする、請求項１〜４のいずれか１項に記載の携帯電話機。
【請求項７】
前記有効回路は、前記操作部側回路接続部に接続されるように前記表示部側筐体に設けられているか、前記表示部側回路接続部に接続されるように前記操作部側筐体に設けられているか、または前記表示部側筐体と前記操作部側筐体の両方に設けられていることを特徴とする、請求項５または６に記載の携帯電話機。
【請求項８】
前記携帯電話機を開いたときには、前記表示部及び前記操作部が同一面になるように配置され、前記携帯電話機を閉じたときには、前記表示部及び前記操作部が互いに外側面に配置されることを特徴とする、請求項１〜７のいずれか１項に記載の携帯電話機。
【請求項９】
前記表示部側筐体と前記操作部側筐体のいずれか一方の筐体に電源供給源を設け、他方の筐体に前記電源供給源を設けず、
前記電源供給源を設けていない他方の筐体側に備わる前記回路群は、前記携帯電話機を開くことにより前記表示部側回路接続部と前記操作部側回路接続部が接続されると前記電源供給源に接続されることを特徴とする、請求項１〜８のいずれか１項に記載の携帯電話機。
【発明の詳細な説明】
【技術分野】
【０００１】
本発明は、携帯電話機の構成に関し、特に表示部側筐体と操作部側筐体から構成され、ヒンジ部を中心に折り畳み開閉が可能な折り畳み式の携帯電話機の構成に関する。
【背景技術】
【０００２】
近年の携帯電話機において、電話通話時の安心感、大画面機能の市場ニーズ、キー操作部の誤操作の未然防止、折り畳んだ状態での携帯利便性などのため、表示部側筐体と操作部側筐体が略直線状に一体となって構成される一体型電話機よりも、ヒンジ部を中心に表示部側筐体と操作部側筐体とを折り畳み開閉可能にする折り畳み式携帯電話機の方が高い指示を得て、普及の一途を辿っている。しかしながら、通常では、携帯電話機の表示部と操作部は、同一面になるように搭載され、操作部の誤操作を防止するためにも、表示部と操作部が合わさるようにして、内側に折り畳む構成となっており、携帯電話機を折り畳んだ状態では、表示部の表示が見えないという問題があった。
【０００３】
上記の問題を解決するために、表示部側筐体の表示部が配設されている面の裏側の面に第２の表示部を設けた構成のものが開発されている。しかしながら、別途に第２の表示部を設けることに余分な手間やコストを要することとなり、また今後ニーズの高まる携帯電話機の小型化の妨げになる虞があった。
【０００４】
このため、携帯電話機を折り畳んだ状態でも表示部の表示内容を確認可能とするために、操作部側筐体に対して長手軸方向に表示部側筐体を回動可能にすることにより、折り畳んだときに表示部を表面側に配置変更することができる折り畳み式携帯電話機（例えば、特許文献１参照）や、透過型表示器によって表示部を表裏両側から視認可能な構成として開閉検出手段によって表示方向を表裏切り替え可能とした携帯電話機（例えば、特許文献２参照）が開示されている。
【０００５】
【特許文献１】特開２００２−１１８６３３号
【特許文献２】特開２００１−２５７７５４号
【発明の開示】
【発明が解決しようとする課題】
【０００６】
しかしながら、特許文献１及び特許文献２で開示された携帯電話機は、携帯電話機を折り畳んだ状態でも表示部を視認することができ、表示部側筐体に別途の第２の表示部を設ける必要がなくなるものの、携帯電話機の開閉動作のストレスにより２つの筐体を接続しているヒンジ部の中を通っているフレキシブル基板の断線の問題が多く、商品の品質劣化の虞が依然として存在している。特に、特許文献２に開示されている携帯電話機のヒンジ部は、フレキシブル基板を通すため、直径８〜１０ｍｍのヒンジ形状を必要とし、また表示部側筐体の表裏両面にガラス板を要し、他にも開閉検出手段を具備しなければならない構成であり、部品点数が増え、携帯電話機の小型化を阻止する要因となっていた。
【０００７】
また、近年の携帯電話機は、本来の電話通信の機能に加え、メール機能や、メロディ演奏機能、最近ではカメラやテレビチューナー等携帯電子機器の機能を次々に付加されているが、特許文献１及び特許文献２で開示された携帯電話機は、これら付加機能を使用していないときにも待機電流が消費され、電池寿命を短くする要因となることが懸念される。
【０００８】
そこで，本発明は，従来の携帯電話機が有する上記問題点に鑑みてなされたものであり，本発明の目的は，折り畳んだ状態でも表示部を視認すること及びキー操作部の誤操作の防止ができ、かつ携帯電話の小型化及び電池寿命の延命の可能な，新規かつ改良された携帯電話機を提供することである。
【課題を解決するための手段】
【０００９】
上記課題を解決するために、本発明のある観点によれば、表示部が配設された表示部側筐体と情報を入力する操作部が配設された操作部側筐体がヒンジ部を中心に折り畳み開閉が可能な構成である携帯電話機において、表示部側筐体に備わる回路群を一括して制御する制御部へ接続される表示部側回路接続部と、操作部側筐体に備わる回路群の接続末端部を一括する操作部側回路接続部とを備え、操作部が配設された面が外側へ配置されるようにする方向に折り畳もうとする際に、表示部側回路接続部と操作部側回路接続部との接続が遮断されることを特徴とする、携帯電話機が提供される。
【００１０】
このとき、表示部側回路接続部と操作部側回路接続部は、電気的及び機構的に接続させる接続部であることとしてもよい。また、表示部側回路接続部と操作部側回路接続部は、表示部側筐体と操作部側筐体とを電気的に接続させる接続部と、表示部側筐体と操作部側筐体との連結部分を機構的に接続させる接続部とを別途設けたこととしてもよい。さらに、携帯電話機を開いたときには、表示部及び操作部が同一面になるように配置され、携帯電話機を閉じたときには、表示部及び操作部が互いに外側面に配置されることが好ましく、また、表示部側筐体と操作部側筐体のいずれか一方の筐体に電源供給源を設け、他方の筐体に電源供給源を設けず、電源供給源を設けていない他方の筐体側に備わる回路群は、携帯電話機を開くことにより表示部側回路接続部と操作部側回路接続部が接続されると電源供給源に接続されることとしてもよい。
【００１１】
このような構成とすることにより、表示部側筐体と操作部筐体は、開いている時には電気的に接続され、閉じている時には電気的に遮断される。このため、閉じている時に表示部及び操作部を外側に配置しても、操作部に配設されるキー操作部の誤操作が防止されるので、従来の折り畳み式携帯電話機が搭載する背面側表示部を別途に設けなくても、表示部の視認が可能となる。また、閉じている時には、操作部筐体への電源供給も遮断されるため、待機電流の消費が抑えられ、電池寿命の延命も可能である。
【００１２】
また、表示部側筐体と操作部側筐体の電気的接続媒体として表示部側接続部と操作部側接続部に凹凸形状の接続部品や金属による端子接触によって接続を行うため、フレキシブル基板を使用せずに構成できるので、２つの筐体を接続しているヒンジ部のフレキシブル基板の断線の問題が解消されるので、商品の品質劣化を防止できる。さらに、ヒンジ部が表示部側筐体と操作部側筐体の回転軸としてのみ構成され、表示部側筐体と操作部側筐体との電気的接続が凹凸形状の接続部品や金属による端子で行うため、従来の折り畳み携帯電話機のようにヒンジ部内にフレキシブル基板を通して構成する必要が無いため、携帯電話機の薄型化、小型化が可能となる。
【００１３】
また、このとき表示部側筐体には、制御部により制御される第２の操作部がさらに配設され、操作部側筐体には、第２の操作部を使用不能にする無効回路がさらに配設され、表示部側回路接続部と操作部側回路接続部とを接続させると、制御部と操作部側筐体に配設される操作部が接続されると同時に、第２の操作部と無効回路が接続されることとしてもよい。
【００１４】
このような構成とすることにより、携帯電話機を折り畳んだ状態で操作部に配設されるキー操作部の誤操作が防止される上に、携帯電話機を折り畳んだ状態で表示部側筐体の単体のみで電話通信及び第２の操作部による容易なキー入力操作が可能となる。
【００１５】
また、表示部側筐体には、制御部で制御されない第１の付加機能回路がさらに配設され、操作部側筐体には、表示部側回路接続部と操作部側回路接続部とを接続させると第１の付加機能回路を使用可能にする有効回路が設けられていることとしてもよく、さらに、操作部側筐体には、制御部で制御されない第２の付加機能回路がさらに配設され、表示部側回路接続部と操作部側回路接続部とを接続させると第１及び第２の付加機能回路を使用可能にする有効回路が設けられていることとしてもよい。このとき有効回路は、操作部側回路接続部に接続されるように表示部側筐体に設けられているか、表示部側回路接続部に接続されるように操作部側筐体に設けられているか、または表示部側筐体と操作部側筐体の両方に設けられていることとすることが好ましい。
【００１６】
このような構成とすることにより、表示部側筐体に設けられた例えばカメラ等の付加機能回路が携帯電話機を折り畳んだ状態では、使用不能となり、携帯電話機の常時使用する回路群と電源を分けることができるので、カメラ等の付加機能回路を不使用時には、付加機能回路に全く電源を供給されず、余分な消費電力の削減が実現される。
【発明の効果】
【００１７】
以上説明したように本発明によれば，表示部を視認できるように表示部の裏側面と操作部の裏側面を合わせるように折り畳んだ状態としても、キー操作部の誤操作の防止ができ、かつ携帯電話の小型化及び電池寿命の延命の可能な携帯電話機が提供されるようになる。このため、表示部側筐体に第２の表示部を別途設けることが不要となり、表示部が折り畳んだ状態でもそのまま使用できるため、画面が大きく視認性が向上する効果も相乗させること及びコスト削減が可能になる。
【００１８】
また、折り畳み式の携帯電話機で問題となっている２つの筐体を接続しているヒンジ部のフレキシブル基板の断線の問題が解消されるので、商品の品質劣化を防止できる。さらに、表示部側筐体と操作部側筐体との接続部にフレキシブル基板を使用しない構成とすることにより、携帯電話機の小型化が可能となる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
（第１の実施の形態）
本発明の第１の実施の形態における携帯電話機の構成について図面を使用しながら説明する。図１は、本発明の第１の実施の形態における携帯電話機の外観斜視図であり、図２は、本実施の形態における携帯電話機に備わる回路構成を説明するためのブロック図である。
【００２１】
まず、本実施の形態における携帯電話機の外観構成について、図１を使用しながら説明する。図１に示すように、本実施の形態の携帯電話機１００は、表示部側筐体１０２と操作部側筐体１０４がヒンジ部１０６で回動可能に結合され、このヒンジ部１０６を中心に折り畳み開閉が可能な構成となっている。
【００２２】
表示部側筐体１０２は、携帯電話機１００の状態や機能を液晶等で表示する表示部１０８、通信相手の音声を出力する受話部１１０、携帯電話機１００への呼び出しが有った場合に携帯者へ報知を行う報知部１１２、無線通信時の電波の送受信を行うアンテナ部１１４、操作部側筐体１０４との機構的、及び電気的な接続を行うための表示部側回路接続部１１６を具備し、携帯電話機１００の主要回路となって搭載されている。また、表示部側筐体１０２には、図１に図示されていないが、携帯電話機１００の無線通信を行う無線部、携帯電話機１００の制御を行う制御部、携帯電話機１００の電源となる二次電池、及び携帯電話機１００の設定情報や電話番号を記憶するメモリが設けられている。
【００２３】
報知部１１２のデバイスとしては、音で報知するスピーカ、光で報知するＬＥＤ、振動で報知するバイブレータ等が一般に使用されており、携帯者の使用状況に合わせて音による報知、光による報知、または音と光との組み合わせによる報知を行うことも可能である。また、報知部１１２と表示部１０８を同時に動作させることで、報知内容を携帯者に詳細に報知することができる。
【００２４】
一方、操作部側筐体１０４は、携帯者からの携帯電話機１００への様々なキー入力操作を行う操作部１１８、音声を入力する送話部１２０、表示部側筐体１０２との機構的、電気的な接続を行うための操作部側回路接続部１２２を具備する。図１に示すように、本実施の形態では、操作部１１８は、ボタン型のスイッチで構成されているが、タッチパネル式の液晶入力装置等で構成してもよい。
【００２５】
本実施の形態における携帯電話機１００は、ヒンジ部１０６を中心に表示部側筐体１０２と操作部側筐体１０４とが回動可能に設けられ、表示部１０８を配設した面に対する表示部側筐体１０２の裏側面と、操作部１１８を配設した面に対する操作部側筐体１０４の裏側面とを合わせる方向に、すなわち操作部１１８が配設された面が外側へ配置されるように携帯電話機１００が折り畳まれる。そして、携帯電話機１００を使用する際には、表示部側筐体１０２に配設された表示部１０８と、操作部側筐体１０４に配設された操作部１１８が同一面側に来るような方向へ、換言するとヒンジ部１０６を中心に図１に示すＡの方向に携帯電話機１００が開かれる。
【００２６】
このため、携帯電話機１００を開いたときには、表示部１０８と操作部１１８とを同一面で目視して操作することが可能となり、携帯電話機１００を閉じたときには、表示部１０８と操作部１１８が互いに背中合わせとなり、閉じた状態で表示部１０８と操作部１１８が外側から見えるように構成される。それにより、携帯電話機１００を閉じた状態でも表示部１０８の表示の確認ができるので、第２の表示部となる背面表示部が不要となり、かつ表示部１０８が携帯電話機１００を折り畳んだ状態でもそのまま使用できるため、画面を大きくとることにより視認性が向上する効果も相乗させること、及びＬＣＤ等の第２の表示部を不要とすることによりコストを削減することが可能となる。さらに、本実施の形態による携帯電話機１００は、表示部側筐体１０２に携帯電話機能の主要回路を搭載しているため、機種のバリエーションを増やしたい場合には、操作部側筐体１０４の構成を変えることで設計可能となり、設計コストの低減と開発期間の短縮ができるようになる。
【００２７】
また、携帯電話機１００を開いている時の表示部側筐体１０２と操作部側筐体１０４とのなす角度は、表示部側筐体１０２と操作部側筐体１０４との当接する表示部側当接面１２４及び操作部側当接面１２６と、表示部側筐体１０２の表示部１０８の裏側面に対する垂直面１２８（図１においては、操作部側筐体１０４の操作部１１８の裏側面に対する垂直面とも同様となる。）とのなす角度を変更することにより調節可能となる。換言すると、表示部側当接面１２４と上記の垂直面１２８とのなす角度∠Ｒ１と、操作部側当接面１２６と上記の垂直面１２８とのなす角度∠Ｒ２の和を変更することにより、携帯電話機１００を開いて使用している時の表示部側筐体１０２と操作部側筐体１０４とのなす角度を調節できる。例えば∠Ｒ１＋∠Ｒ２＝０°とすれば、携帯電話機１００を使用するときは、ストレート型の折り畳み式の携帯電話機として構成することができ、∠Ｒ１＋∠Ｒ２の角度を調整することで、携帯者の使用しやすい角度での携帯電話機１００の構成が可能となる。
【００２８】
本実施の形態において、表示部側回路接続部１１６と操作部側回路接続部１２２は、それぞれ凹凸型の電気的、機構的に接続（嵌合）、分離することが可能な部品によって構成し、表示部側回路接続部１１６、操作部側回路接続部１２２の一方を凹部、もう一方を凸部にするように構成する。また、表示部側回路接続部１１６を例えば凹型の接続部品で構成し、操作部側回路接続部１２２を操作部側筐体１０４内の電気回路の図示しないプリント基板の延長端で構成し、表示部側回路接続部１１６の凹型の接続部品にプリント板を挿し込むことで接続（嵌合）できるように構成しても良い。つまり、表示部側回路接続部１１６と操作部側回路接続部１２２は、電気的、機構的に接続（嵌合）、分離するように構成されている事を構成の特徴としている。さらに電気的な接続は、金属によるものでなくても良く、光によって電気信号の通信を行うものを使用して構成しても良い。
【００２９】
上述したように、表示部側筐体１０２と操作部側筐体１０４の電気的接続を表示部側接続部１１６と操作部側接続部１２２に設けた凹凸形状の接続部品や金属による端子接触によって行うため、フレキシブル基板を使用せずに携帯電話機１００を構成することができる。このため、従来の折り畳み式の携帯電話機で問題となっていた２つの筐体を接続しているヒンジ部のフレキシブル基板の断線の問題が解消されるので、商品の品質劣化を防止できる。また、ヒンジ部１０６が表示部側筐体１０２と操作部側筐体１０４の回転軸としてのみ構成され、表示部側筐体１０２と操作部側筐体１０４との電気的接続が凹凸形状の接続部品や金属による端子で行うため、従来の折り畳み携帯電話機のようにヒンジ部内にフレキシブル基板を通して構成する必要が無いため、携帯電話機１００の薄型化、小型化が可能となる。
【００３０】
次に、本実施の形態における携帯電話機に備わる回路構成について、図面を使用しながら説明する。図２に示すように、本実施の形態の携帯電話機１００は、表示部側筐体１０２と操作部側筐体１０４とを具備する。
【００３１】
表示部側筐体１０２では、上述したように携帯電話機１００の状態や機能を液晶等で表示する表示部１０８、通信相手の音声を出力する受話部１１０、携帯電話機１００への呼び出しが有った場合に携帯者に報知を行う報知部１１２、無線通信時の電波の送受信を行うアンテナ部１１４、携帯電話機１００の無線通信を行う無線部１３０、携帯電話機１００の設定情報や電話番号を記憶するメモリ１３２、及び携帯電話機１００の電源となる二次電池１３４と言った各機能を備えた回路群が表示部側筐体１０２内に配設された制御部１３６に接続されている。そして、この制御部１３６で前述した回路群を一括して制御される。また、制御部１３６は、操作部側筐体１０４との機構的、及び電気的な接続を行うための表示部側回路接続部１１６に接続される。
【００３２】
一方、操作部側筐体１０４では、上述したように、携帯者からの携帯電話機１００への様々なキー入力操作を行う操作部１１８、音声を入力する送話部１２０と言った各機能を備えた回路群の接続末端部を一括する操作部側回路接続部１２２が設けられ、この操作部側回路接続部１２２は、上述したように表示部側筐体１０２と機構的、電気的に接続される。
【００３３】
次に、本実施の形態における携帯電話機１００の動作について、図面を使用しながら説明する。図３は、本実施の形態における携帯電話機１００を使用するときの動作を示す本体斜視図であり、（ａ）は、携帯電話機１００を使用するために開いたときの状態を示す斜視図であり、（ｂ）は、携帯電話機１００を閉じたときの状態を表示部１０２側から見た斜視図であり、（ｃ）は、携帯電話機１００を閉じたときの状態を操作部１０４側から見た斜視図である。
【００３４】
携帯電話機１００は、表示部側筐体１０２と操作部側筐体１０４を具備し、表示部側筐体１０２と操作部側筐体１０４とは、ヒンジ部１０６を中心軸にして回動する方向、すなわち図１に示すＡの方向に開閉が可能な形で接続されている。そして、表示部側筐体１０２には、操作部側筐体１０４との機構的、電気的な回路接続を行うための表示部側回路接続部１１６が、操作部側筐体１０４には、表示部側筐体１０２との機構的、電気的な回路接続を行うための操作部側回路接続部１２２が、それぞれヒンジ部１０６の近傍に設けており、携帯電話機１００を開いた時には、図３（ａ）に示すように、表示部側回路接続部１１６と操作部側回路接続部１２２が機構的に嵌合する。このとき、同時に表示部側回路接続部１１６と操作部側回路接続部１２２が電気的に回路接続が行われる。
【００３５】
携帯電話機１００を持ち歩く時等には、通常、図３（ｂ）、図３（ｃ）に示すように、携帯電話機１００は、閉じた状態になっている。アンテナ部１１４、無線部１３０を介して携帯電話機１００への着信が有った場合には、制御部１３６が報知部１１２により携帯者への報知を行うと共に、表示部１０８に情報を表示する。ここで情報を表示する内容は、例えば着信相手の名前、写真や絵、文字メッセージ等でよく、消費電流削減やプライバシー保護のために、表示部１０８の表示をしないようにしてもよく、表示するか否かを携帯者に選択させる機能を付加してもよい。
【００３６】
表示部１０８へ着信相手の名前を表示させる場合には、制御部１３６は、アンテナ部１１４、無線部１３０によって受信したデータ情報から、メモリ１３２から着信相手の名前を検出し表示部１０８への表示を行う。これにより、携帯者は、着信を認識し、着信相手との通話を行う場合には、図３（ｂ）、図３（ｃ）に示すように、閉じた状態にある携帯電話機１００を図３（ａ）のように開く。
【００３７】
このとき、表示部側回路接続部１１６と操作部側回路接続部１２２が機構的に嵌合し、電気的に接続される。図２で示す操作部１１８、送話部１２０は、操作部側回路接続部１２２と表示部側回路接続部１１６を通して、制御部１０７と接続されることで電源供給、電気信号の伝達を行えるようになり、携帯電話機１００の操作、使用が可能となり、着信相手との通話を行う。
【００３８】
通話終了時には、開いた携帯電話機１００を再び閉じることで表示部側回路接続部１１６と操作部側回路接続部１２２が機構的に分離され、電気的に遮断される。このとき、図２で示す操作部側回路接続部１２２と表示部側回路接続部１１６が分離されるので、操作部１１８、送話部１２０は、制御部１０７から電気的に遮断される。このため、操作部１１８、送話部１２０への入力があっても電源供給、電気信号の伝達が行えなくなっているため、携帯電話機１００を閉じた状態で操作部１１８が表側に有していても、操作部１１８の誤操作を防止できる。また、誤操作入力時や待機電流の消費と言った問題が無くなるので、電池寿命の延命が可能となる。
【００３９】
以上、着信時の動作について説明したが、携帯者が使用したい場合には、携帯電話機１００を閉じた状態から開いて、操作部１１８を操作して、電話通信の発呼を行う。同様に電話通信以外にも携帯電話機１００を操作する場合には、携帯電話機１００を開き、使用しない場合には、閉じる。
【００４０】
以上本実施の形態における携帯電話機１００の構成と動作について詳細に説明したが、図１、図２、図３において、操作部側筐体１０４に搭載されている携帯電話機１００を開く時に動作する回路あるいは装置は、操作部１１８のようなキー入力回路／装置にとらわれなくとも良い。例えば、操作部側筐体１０４にカメラや赤外線入出力回路／装置、ラジオ／テレビチューナー回路／装置、外部メモリを搭載しても良く、使用しない場合には、携帯電話機１００を閉じることで電源供給や信号伝達を切断して回路／装置の動作を停止させ、使用する場合には、携帯電話機１００を開くことによって電源供給や信号伝達を行い、回路／装置の動作を行うように構成しても良い。
【００４１】
なお、本実施の形態における携帯電話機１００の表示部側筐体１０２と操作部側筐体１０４との回路接続部の構成を変えることも可能である。図４は、本発明の第１の実施の形態における携帯電話機１００の変形例の携帯電話機１００’の外観斜視図である。
【００４２】
本実施の形態の変形例における携帯電話機１００’は、図１に示す第１の実施の形態における携帯電話機１００の構成に対し、表示部側筐体１０２と操作部側筐体１０４との回路接続部の構成が異なる。すなわち、表示部側筐体１０２の表示部側当接面１２４に配設された表示部側回路接続部１１６と操作部側筐体１０４の操作部側当接面１２６に配設された操作部側回路接続部１２２は、図４に示すように、表示部側筐体１０２と操作部側筐体１０４とを電気的に接続させる回路接続部１１６ａ、１２２ａと、表示部側筐体１０２と操作部側筐体１０４との連結部分を機構的に接続させる回路接続部１１６ｂ、１２２ｂとがそれぞれ別途設けられている。
【００４３】
表示部側回路接続部１１６ａは、表示部側筐体１０２のヒンジ部１０６近傍の表示部側当接面１２４に配置され、操作部側筐体１０４のヒンジ部１０６近傍の操作部側当接面１２６に配置された操作部側回路接続部１２２ａとの電気的な回路接続を行うものであり、同様に操作部側回路接続部１２２ａは、表示部側回路接続部１１６ａ、との電気的な回路接続を行うものである。表示部側回路接続部１１６ａと操作部側回路接続部１２２ａは、それぞれ銅、ニクロム等の導電性を有する材質からなる金属で構成し、携帯電話機１００’を閉じた時には、それぞれの回路接続部１１６ａ、１２２ａが接触するように構成される。このとき、接触時の接触抵抗低減のため、互いに接触する金属表面に金メッキ処理を施すことが好ましい。さらに電気的な接続は、金属によるものでなくても良く、例えば光によって電気信号の通信を行うものを使用して構成しても良い。
【００４４】
また、表示部側回路接続部１１６ｂは、表示部側筐体１０２のヒンジ部１０６近傍に有する表示部側当接面１２４の端部に配置され、操作部側筐体１０４のヒンジ部１０６近傍に有する操作部側当接面１２６に配置された操作部側回路接続部１２２ｂとの機構的な接続を行うものであり、同様に操作部側回路接続部１２２ｂは、表示部側回路接続部１１６ｂとの機構的な接続を行うものである。
【００４５】
表示部側回路接続部１１６ｂと操作部側回路接続部１２２ｂは、それぞれ凹凸型の機構的に嵌合、分離することが可能な部品によって構成し、表示部側回路接続部１１６ｂ、操作部側回路接続部１２２ｂの一方を凹部、もう一方を凸部にするように構成する。このとき、表示部側回路接続部１１６ｂと操作部側回路接続部１２２ｂとの嵌合部の構成は、凹部をスリットとし、凸部をフックにして、嵌合時に携帯電話機１００’の角度が固定され、表示部側回路接続部１１６ａと操作部側回路接続部１２２ａの電気的接続が切断されないように補強するように構成する。
【００４６】
また、表示部側回路接続部１１６ｂと操作部側回路接続部１２２ｂは、磁石によって構成しても良い。その場合には、表示部側回路接続部１１６ｂ、操作部側回路接続部１２２ｂの一方をＮ極、もう一方をＳ極となるように表示部側筐体１０２、操作部側筐体１０４のヒンジ部１０６近傍の当接面１２４、１２６に配置する事で、携帯電話機１００’を開いた時の携帯電話機本体１００’の角度を固定すると共に、表示部側回路接続部１１６ａと操作部側回路接続部１２２ａの電気的接続が切断されないように補強する様に構成することができる。
【００４７】
つまり、表示部側回路接続部１１６ａと操作部側回路接続部１２２ａは、電気的、接続、分離するように、また、表示部側回路接続部１１６ｂと操作部側回路接続部１２２ｂは機構的に嵌合、分離するように構成されている事を構成の特徴としている。なお、上記の回路接続部１１６ａ、１１６ｂ、１２２ａ、１２２ｂ以外の構成については、図１に示す第１の実施の形態における携帯電話機１００と同様であるので、他の構成要素についての説明は、省略する。
【００４８】
次に、本実施の形態の変形例における携帯電話機１００’の動作について、図４と図２を参照しながら説明する。表示部側筐体１０２には、操作部側筐体１０４との電気的な回路接続を行うための表示部側回路接続部１１６ａと、操作部側筐体１０４との機構的な筐体接続を行うための表示部側回路接続部１１６ｂが表示部側筐体１０２のヒンジ部１０６側に有する表示部側当接面１２４に配設されている。また、キー操作部側筐体２００には、表示部側筐体１０２との電気的な回路接続を行うための操作部側回路接続部１２２ｂと、表示部側筐体１０２との機構的な筐体接続を行うための操作部側回路接続部１２２ｂが操作部側筐体１０４のヒンジ部１０６側に有する操作部側当接面１２６に配設されている。このような構成とすることにより、携帯電話機１００’を開いた時には、表示部側回路接続部１１６ａと操作部側回路接続部１２２ａが電気的に接続され、表示部側回路接続部１１６ｂと操作部側回路接続部１２２ｂが機構的に嵌合される。
【００４９】
携帯電話機１００’を持ち歩く時には、通常、閉じた状態で所持している。携帯電話機１００’への着信が有り、携帯者が着信を認識し、着信相手との通話を行う場合には、携帯電話機１００’を開く。このとき、表示部側回路接続部１１６ｂと操作部側回路接続部１２２ｂが機構的に嵌合し、表示部側回路接続部１１６ａと操作部側回路接続部１２２ａが電気的に接続される。
【００５０】
操作部１１８、送話部１２０は、操作部側回路接続部１２２ａと表示部側回路接続部１１６ａを通して、表示部側筐体１０２内の電気回路と接続されることで電源供給、電気信号の伝達を行えるようになり、携帯電話機１００’の操作、使用が可能となり、着信相手との通話を行う。通話終了時には、携帯電話機１００’を再び閉じることで表示部側回路接続部１１６ｂと操作部側回路接続部１２２ｂが機構的に分離され、表示部側回路接続部１１６ａと操作部側回路接続部１２２ａが電気的に遮断される。このとき、操作部１１８、送話部１２０は、表示部側筐体１０２内に配設された各機能を備える電気回路から電気的に遮断される。このため、操作部１１８、送話部１２０への入力があっても、電源供給、電気信号の伝達が行えなくなっているため、誤操作入力時や待機電流の消費と言った問題が無くなる。
【００５１】
以上、着信時の動作について説明したが、携帯者が使用したい場合には、閉じた状態から携帯電話機１００’を開いてキー操作部２０３を操作して、電話通信の発呼を行う。同様に電話通信以外にも、携帯電話機本体１００’を操作する場合には、携帯電話機本体１００’を開き、使用しない場合には、携帯電話機本体１００’を閉じる。
【００５２】
以上本実施の形態の変形例における携帯電話機１００’の構成と動作について詳細に説明したが、第１の実施の形態における携帯電話機１００と同様に、携帯電話機本体１００’を開いた時に、操作部側筐体１０４に搭載されている動作する回路あるいは装置は、操作部１１８のようなキー入力回路／装置にとらわれなくとも良い。例えば、操作部側筐体１０４にカメラや赤外線入出力回路／装置、ラジオ／テレビチューナー回路／装置、外部メモリを設けても良く、使用しない場合には、携帯電話機１００’を閉じることで電源供給や信号伝達を遮断して回路／装置の動作を停止させ、使用する場合には、携帯電話機１００’を開くことによって電源供給や信号伝達を行い、回路／装置の動作を行うように構成しても良い。
【００５３】
（第２の実施の形態）
次に、本発明の第２の実施の形態における携帯電話機２００の構成について図面を参照して詳細に説明する。図５は、本発明の第２の実施の形態における携帯電話機２００の外観斜視図である。
【００５４】
図５に示すように、本実施の形態における携帯電話機２００は、第１の実施の形態における携帯電話機１００の構成に対し、表示部側筐体２０２にキー操作により表示部２０８を操作する第２の操作部２３８と第２の送話部２４０が追加されている。第２の操作部２３８は、表示部側筐体２０２に配置され、本実施の形態による携帯電話機２００のキー入力操作を行うものであり、携帯電話機２００を閉じた状態でも、簡単な操作を行うために設けられたものである。また、表示部側筐体２０２に配置された第２の送話部２４０は、音声入力を行うためのものである。具体的には、携帯電話機本体２００を閉じた状態でも表示の確認といった表示部側筐体２０２の操作や音声入力を行うためのものである。なお、他の構成要素に関しては、第１の実施の形態における携帯電話機１００と同様であるので、これらの構成に関する説明は、省略する。
【００５５】
次に、本実施の形態における携帯電話機２００に備わる回路構成について、図面を使用しながら説明する。図６は、本実施の形態における携帯電話機２００に備わる回路の構成を示すブロック図である。図６に示すように、本実施の形態の携帯電話機２００は、第１の実施の形態における携帯電話機１００と同様に、表示部側筐体２０２と操作部側筐体２０４とを具備する。そして、本実施の形態における携帯電話機２００は、第１の実施の形態における携帯電話機１００の構成に対し、表示部側筐体２０２には、第２の操作部２３８と第２の送話部２４０が、操作部側筐体２０４には、無効回路２４２が追加されている。
【００５６】
第２の操作部２３８と第２の送話部２４０は、共に制御部２３６に接続されている。制御部２３６は、第２の操作部２３８のキー操作入力によって携帯電話機本体２００の制御を行うこともできる。また、制御部２３６は、第２の送話部２４０の入力に対して、携帯電話機本体２００の電話通信時には、音声信号を制御する。このため、携帯電話機２００を閉じた状態でも、電話通信やキー操作入力が行える構成となっている。また、操作部側筐体２０４には、接続された回路や機能の動作を無効にする無効回路２４２が設置されており、この無効回路２４２は、操作部側接続部２２２に接続されている。
【００５７】
このような構成とすることにより、携帯電話機本体２００を開いたときには、第２の操作部２３８と第２の送話部２４０が操作部側接続部２２２に接続されている無効回路２４２に接続されるため、第２の操作部２３８と第２の送話部２４０の動作を停止させることができる構成となっている。なお、上記の表示部側筐体２０２に設けた第２の操作部２３８と第２の送話部２４０、及び操作部側筐体２０４に設けた無効回路２４２以外の構成については、第１の実施の形態における携帯電話機１００と同様であるので、他の構成要素についての説明は、省略する。
【００５８】
次に、本実施の形態における携帯電話機２００の動作について、図面を使用しながら説明する。図７は、本発明の第２の実施の形態による携帯電話機２００の動作を説明するためのブロック図である。
【００５９】
図７に示すように、第２の操作部２３８と第２の送話部２４０は、それぞれ制御部２３６と表示部側接続部２１６に接続されており、携帯電話機２００を開いた場合には、操作部側接続部２３２を通して無効回路２４２に接続されるように構成されている。
【００６０】
携帯電話機２００を持ち歩く時には、通常、携帯電話機２００を閉じた状態で所持している。携帯電話機２００への着信が有り、携帯者が着信を認識した場合には、携帯者は、表示部側筐体２０２に設置された第２の操作部２３８を使用し、表示部２０８に表示された情報の詳細を確認したり、報知部２１２の報知動作を止めたり、着信に対して応答するためのキー操作を行ったりと、表示部側筐体２０２単体での簡易的な操作が可能となる。着信相手との通話を行う場合には、表示部側筐体２０２に搭載された第２の送話部２４０を使用して電話通信を行うことができる。
【００６１】
このとき、携帯電話機２００を開いて操作を行うことも可能であり、図７で示したように、携帯電話機２００を開いた時には、表示部側筐体２０２の第２の操作部２３８及び第２の送話部２４０は、操作部側筐体２０４に設けられた無効回路２４２に接続され、第２の操作部２３８及び第２の送話部２４０の動作が無効となると同時に、操作部側筐体２０４に搭載された操作部２１８と送話部２２０が操作部側回路接続部２２２と表示部側回路接続部２１６を通して表示部側筐体２０２に搭載された制御部２３６に接続されることで電源供給、電気信号の伝達を行えるようになり、携帯電話機本体２００の操作、使用が可能となり、着信相手との通話が可能になる。
【００６２】
通話終了時には、携帯電話機本体２００を再び閉じることで表示部側回路接続部２１６と操作部側回路接続部２２２が機構的、電気的に分離、切断される。このとき、操作部２１８、送話部２２０は、表示部側筐体２０２内の電気回路から電気的に遮断される。このため、操作部２１８、送話部２２０への入力があっても電源供給、電気信号の伝達が行なえなくなっているため、誤操作入力時や待機電流の消費と言った問題が無くなる。
【００６３】
また、同時に表示部側筐体２０２に備わる第２の操作部２３８と第２の送話部２４０は、無効回路２４２と遮断されることにより、これら第２の操作部２３８と第２の送話部２４０の動作が有効となり、表示部側筐体２０２単体での動作を再び行うことが可能となる。
【００６４】
このように、第２の実施の形態では、携帯電話機２００を閉じた状態でも電話通信を行うこと、及び簡単なキー入力操作を行うことができ、開いた状態でも電話通信を行うことは、当然のこと、より複雑なキー入力操作を行うことが可能となる。
【００６５】
つまり、表示部側筐体２０２と操作部側筐体２０４に、携帯電話機本体２００の動作として同じ機能、同じ回路を搭載し、携帯電話機２００を閉じた状態では、表示部側筐体２０２に搭載された機能、回路を動作させ、操作部側筐体２０４に搭載された機能、回路を非動作させ、また携帯電話機２００を開いた状態では、表示部側筐体２０２に搭載された機能、回路を非動作させ、操作部側筐体２０４に搭載された機能、回路を動作させることが可能となる。
【００６６】
第２の実施の形態では、第２の操作部２３８や第２の送話部２４０を例に説明したが、携帯電話機本体２００を閉じた状態では、使用可能となっていた回路や機能が、携帯電話機本体２００を開くことによって使用不能にすることを特徴として構成すれば、表示部側筐体２０２と操作部側筐体２０４に携帯電話機本体２００に備わるの動作として同じ機能、回路としなくともよく、第２の操作部２３８や第２の送話部２４０以外の機能、回路を用いて構成しても良い。なお、第２の操作部２３８、第２の送話部２４０、及び無効回路２４２以外の構成要素については、第１の実施の形態における携帯電話機１００と同じ構成及び動作であるため、説明を省略する。
【００６７】
また、本実施の形態では、第１の実施の形態との比較のために、操作部側接続部２２２と無効回路２４２を別に構成したが、予め操作部側接続部２２２にＧＮＤ端子を設けることや、１つの端子幅を太くして表示部側接続部２１６の端子を２つまたはそれ以上の端子を接触できるような構成にして、操作部側接続部２２２に無効回路２４２の機能を内蔵させても良い。さらに、第２の実施の形態は、上述した第１の実施の形態の変形例と組み合わせて構成しても良いものとする。
【００６８】
（第３の実施の形態）
次に、本発明の第３の実施の形態における携帯電話機３００の構成について図面を参照して詳細に説明する。図８は、本発明の第３の実施の形態における携帯電話機３００の外観斜視図である。
【００６９】
図８に示すように、本発明の第３の実施の形態における携帯電話機３００は、第１の実施の形態の携帯電話機１００の構成に対し、表示部３０８が配設された表示部側筐体３０２にカメラ撮影を実行するカメラ部３３８がさらに設けられている。図８において、カメラ部３３８は、表示部側筐体３０２の側面に配置されているが、カメラ部３３８が配設される位置は、表示部側筐体３０２の側面に限定されず、表示部側筐体３０２に搭載されるので有れば、側面にこだわらず、何処でも良いものとする。なお、他の構成要素に関しては、第１の実施の形態における携帯電話機１００と同様であるので、これらの構成に関する説明は、省略する。
【００７０】
次に、本実施の形態における携帯電話機３００に備わる回路構成について、図９を使用しながら説明する。図９は、本実施の形態の携帯電話機３００のブロック図である。図９に示すように、本実施の形態の携帯電話機３００は、第１の実施の形態の構成に対し、表示部側筐体３０２にカメラ部３３８がさらに追加して設けられている。カメラ部３３８は、表示部側接続部３１６に接続されている。
【００７１】
操作部側筐体３０４には、回路や機能の動作を有効にする有効回路３４０が設置されており、この有効回路３４０は、操作部側接続部３２２に接続されている。そして、カメラ部３３８が表示部側接続部３１６に接続されており、携帯電話機本体３００を開いたときには、カメラ部３３８が操作部側接続部３２２に接続されている有効回路３４０に接続されるため、カメラ部３３８の電源供給と動作を行うことができる構成となっている。すなわち、カメラ部３３８は、表示部側筐体３０２に備わる制御部３３６で制御されない付加機能回路であり、操作部側筐体３０４に設けた有効回路３４０が表示部側回路接続部３１６と操作部側回路接続部３２２とを接続させることにより、付加機能回路であるカメラ部３３８を使用可能にする。なお、カメラ部３３８及び有効回路３４０以外の構成要素については、第１の実施の形態と同一の構成、動作であるため、説明を省略する。
【００７２】
次に、本実施の形態における携帯電話機３００の動作について、図面を使用しながら説明する。図１０は、本発明の第３の実施の形態による携帯電話機３００の動作を説明するためのブロック図である。
【００７３】
図１０に示すように、カメラ部３３８は、表示部側接続部３１６に接続されており、携帯電話機３００を開いた場合には、操作部側接続部３２２を通して有効回路３４０に接続されるように構成されている。有効回路３４０は、図１０に示すように、操作部側接続部３２２において、表示部側筐体３０２に設置された表示部側接続部３１６に通じた制御部３３６と、表示部側筐体３０２に設置された表示部側接続部３１６に通じたカメラ部３３８とを接続するように構成されている。
【００７４】
携帯電話機３００を持ち歩く時には、携帯電話機３００を通常閉じた状態で所持している。携帯者がカメラ部３３８を使用したい場合には、携帯電話機本体３００を開く。図１０に示すように、携帯電話機３００を開いた時には、表示部側筐体３０２のカメラ部３３８が操作部側筐体３０４の有効回路３４０に接続されることによって、カメラ部３３８の動作を可能としている。つまり、携帯電話機本体３００を開くことによって、表示部側筐体３０２側に搭載された制御部３３６とカメラ部３３８が、表示部側接続部３１６と操作部側接続部３２２を通して、有効回路３４０によって電気的に接続されることで、カメラ部３３８への電源供給を行うとともに、制御部３３６との信号通信を行うことができるようになる。従って、制御部３３６がカメラ部３３８の制御を行って、携帯者のカメラ操作を制御できるようになる。
【００７５】
カメラ部３３８の使用を止める場合には、携帯電話機本体３００を再び閉じることで表示部側回路接続部３１６と操作部側回路接続部３２２が電気的に遮断され、このとき、カメラ部３３８は、表示部側筐体３０２の制御部３３６から電気的に遮断される。このため、カメラ部３３８への電源供給、電気信号の伝達が行えなくなっているため、誤動作や待機電流の消費と言った問題が無くなる。
【００７６】
つまり、表示部側筐体３０２に搭載されたカメラ部３３８は、操作部側筐体３０４に搭載された、有効回路３４０によって、携帯電話機３００を開いた状態では、表示部側筐体３０２に搭載されたカメラ部３３８を動作させ、また携帯電話機３００を閉じた状態では、カメラ部３３８を非動作とさせることが可能となる。それによって、付加機能回路の電源制御が容易となると共に、他の付加機能回路を具備する携帯電話機３００の設計容易性が増大する。
【００７７】
上述したように、第３の実施の形態では、付加機能回路としてカメラ部３３８を例に説明したが、付加機能回路は、カメラにとらわれなくとも良く、表示部や報知部、スピーカ、赤外線入出力回路／装置、ラジオ／テレビチューナー回路／装置、外部メモリでも良い。このとき、使用しない場合には、携帯電話機を閉じることで電源供給や信号伝達を遮断して回路／装置の動作を停止させ、使用する場合には、携帯電話機を開くことによって電源供給や信号伝達を行い、回路／装置の動作を行うように構成しても良い。これにより、常時使用する回路と、操作を行う時に使用する回路の電源を分けることで消費電流の浪費を削減することができる。
【００７８】
また、操作部側筐体３０４にも制御部３３６で制御されない第２の付加機能回路をさらに搭載させ、表示部側回路接続部３１６と操作部側回路接続部３２２とを接続させると双方の付加機能回路を使用可能にする有効回路３４０を設けてもよい。このとき、有効回路３４０は、操作部側回路接続部３２２に接続されるように表示部側筐体３０２に設けるか、表示部側回路接続部３１６に接続されるように操作部側筐体３０４に設けるか、または表示部側筐体３０２と操作部側筐体３０４の両方に設ける構成とすることが可能である。
【００７９】
本実施の形態では、第１の実施の形態との比較のために、操作部側接続部３２２と有効回路３４０を別途に構成したが、予め操作部側接続部３２２に短絡端子を設け、１つの端子幅を太くして表示部側接続部３１６の端子を２つまたはそれ以上の端子を接触できるような構成にして、操作部側接続部３２２に有効回路３４０の機能を内蔵させても良い。なお、それら以外の構成要素については、第１の実施の形態における携帯電話機１００と同じ構成及び動作であるため、説明を省略する。また、第３の実施の形態は、上述した第１の実施の形態の変形例や第２の実施の形態と組み合わせて構成しても良いものとする。
【００８０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８１】
例えば、本発明の各実施の形態においては、主に携帯電話を例に取って説明したが、本発明の携帯電話機は、携帯型のパソコンやＰＤＡ、デジタルカメラ等の表示部とキー操作をする操作部を持ち、表示部及び操作部がそれぞれ別の筐体に配置されてヒンジ部によって回転、開閉するように構成された電子機器であれば良いものである。
【産業上の利用可能性】
【００８２】
本発明は、画面表示部を有する表示部側筐体と操作部側筐体を回動可能なヒンジ部で接続された電子機器に適用可能であり，特に折り畳み式の携帯電話機に適用可能である。
【図面の簡単な説明】
【００８３】
【図１】本発明の第１の実施の形態における携帯電話機の外観斜視図である。
【図２】同実施の形態における携帯電話機に備わる回路の構成を示すブロック図である。
【図３】同実施の形態における携帯電話機を使用するときの動作を示す本体斜視図であり、（ａ）は、携帯電話機を使用するために開いたときの状態を示す斜視図であり、（ｂ）は、携帯電話機を閉じたときの状態を表示部側から見た斜視図であり、（ｃ）は、携帯電話機を閉じたときの状態を操作部側から見た斜視図である。
【図４】同実施の形態における携帯電話機の変形例の外観斜視図である。
【図５】本発明の第２の実施の形態における携帯電話機の外観斜視図である。
【図６】同実施の形態における携帯電話機に備わる回路の構成を示すブロック図である。
【図７】同実施の形態による携帯電話機の動作を説明するためのブロック図である。
【図８】本発明の第３の実施の形態における携帯電話機の外観斜視図である。
【図９】同実施の形態における携帯電話機に備わる回路の構成を示すブロック図である。
【図１０】同実施の形態による携帯電話機の動作を説明するためのブロック図である。
【符号の説明】
【００８４】
１００、１００’、２００、３００    携帯電話機（本体）
１０２、２０２、３０２    表示部側筐体
１０４、２０４、３０４    操作部側筐体
１０６    ヒンジ部
１０８、２０８、３０８    表示部
１１０    受話部
１１２、２１２    報知部
１１４    アンテナ部
１１６、２１６、３１６    表示部側回路接続部
１１８、２１８、３１８    操作部
１２０    送話部
１２２、２２２、３２２    操作部側回路接続部
１２４    表示部側当接面
１２６    操作部側当接面
１２８    垂直面
１３０    無線部
１３２    メモリ
１３４    二次電池
１３６、２３６、３３６    制御部
２３８    第２の操作部
２４０    第２の送話部
２４２    無効回路
３３８    カメラ部
３４０    有効回路
【図１】
2005217817.tif 000003
【図２】
2005217817.tif 000004
【図３】
2005217817.tif 000005
【図４】
2005217817.tif 000006
【図５】
2005217817.tif 000007
【図６】
2005217817.tif 000008
【図７】
2005217817.tif 000009
【図８】
2005217817.tif 000010
【図９】
2005217817.tif 000011
【図１０】
2005217817.tif 000012